(57)【要約】【課題】特定の色相の被写体を強調して輪郭補正を行うことのできるビューファインダおよび撮像装置を提供する。【解決手段】入力映像信号から生成された三原色信号よりピーキング信号生成部１１のバンドパスフィルタ１１において所定の周波数の高域成分を検出し赤、緑、青の原色信号に対応する各ピーキング（輪郭補正）信号を生成する。これら各ピーキング信号は加算されて、映像信号の所定の色相領域に対する輪郭補正を強調する色相領域ピーキング（信号としてピーキングレベルが調整され、前記入力映像信号から生成された三原色信号へ加算される。このとき、赤、緑、青の原色信号に対応する各ピーキング信号の加算比率を各色相設定信号により設定することで、特定の色相の被写体を強調しピーキングを行い、また、様々な色相の被写体に対して選択的に輪郭補正を行うことが可能になる。【選択図】図１
2008061202.tif 000002
【特許請求の範囲】
【請求項１】
液晶表示素子を用いたビューファインダであって、
入力映像信号から生成された三原色信号をもとに、強調する輪郭補正の色相に応じたピーキング信号を生成する輪郭補正信号生成手段と、
前記輪郭補正信号生成手段により生成されたピーキング信号を前記入力映像信号から生成された三原色信号に加算する信号加算手段と、
前記信号加算手段によりピーキング信号が加算される前記三原色信号をもとに前記液晶表示素子の駆動信号を生成する駆動信号生成手段と、
を備えたことを特徴とするビューファインダ。
【請求項２】
前記輪郭補正信号生成手段により生成されたピーキング信号のレベルを設定可能にするレベル設定手段を備えたことを特徴とする請求項１記載のビューファインダ。
【請求項３】
前記輪郭補正信号生成手段は、前記入力映像信号から生成された三原色信号の高域成分を検出し原色信号ごとのピーキング信号を抽出するピーキング信号抽出手段と、前記ピーキング信号抽出手段により抽出した原色信号ごとのピーキング信号に対し、強調する輪郭補正の色相に応じた重み付けを設定可能にする重み付け設定手段と、前記原色信号ごとのピーキング信号を加算し、前記強調する輪郭補正の色相に応じたピーキング信号を生成するピーキング信号加算手段とを備えたことを特徴とする請求項１または２記載のビューファインダ。
【請求項４】
強調する輪郭補正の色相を選択する色相選択手段を備え、前記輪郭補正信号生成手段は、前記入力映像信号から生成された三原色信号の高域成分を検出し原色信号ごとのピーキング信号を抽出するピーキング信号抽出手段と、前記ピーキング信号抽出手段により抽出した原色信号ごとのピーキング信号に対し、前記色相選択手段により選択された強調する輪郭補正の色相に応じた重み付けを設定可能にする重み付け設定手段と、前記原色信号ごとのピーキング信号を加算し、前記強調する輪郭補正の色相に応じたピーキング信号を生成するピーキング信号加算手段とを備えたことを特徴とする請求項１または２記載のビューファインダ。
【請求項５】
前記ピーキング信号抽出手段により抽出した原色信号ごとのピーキング信号のうち最もレベルの高いピーキング信号を優先させ出力する最高レベルピーキング信号優先手段と、前記最高レベルピーキング信号優先手段が出力したピーキング信号、または、前記ピーキング信号加算手段が生成したピーキング信号のいずれかを選択し出力する選択手段とを備えたことを特徴とする請求項３記載のビューファインダ。
【請求項６】
フォーカス調整機能を有した撮像レンズと、入射光から色分解された赤、緑、青の三色光をもとに映像信号を出力する撮像素子と、液晶表示素子を用いたビューファインダを備えた撮像装置であって、
前記ビューファインダは、
入力映像信号から生成された三原色信号をもとに、強調する輪郭補正の色相に応じたピーキング信号を生成する輪郭補正信号生成手段と、
前記輪郭補正信号生成手段により生成されたピーキング信号を前記入力映像信号から生成された三原色信号に加算する信号加算手段と、
前記信号加算手段によりピーキング信号が加算される前記三原色信号をもとに前記液晶表示素子の駆動信号を生成する駆動信号生成手段と、
を備えたことを特徴とする撮像装置。
【請求項７】
前記ビューファインダは、前記輪郭補正信号生成手段により生成されたピーキング信号のレベルを設定可能にするレベル設定手段を備えたことを特徴とする請求項６記載の撮像装置。
【請求項８】
前記ビューファインダの前記輪郭補正信号生成手段は、前記入力映像信号から生成された三原色信号の高域成分を検出し原色信号ごとのピーキング信号を抽出するピーキング信号抽出手段と、前記ピーキング信号抽出手段により抽出した原色信号ごとのピーキング信号に対し、強調する輪郭補正の色相に応じた重み付けを設定可能にする重み付け設定手段と、前記原色信号ごとのピーキング信号を加算し、前記強調する輪郭補正の色相に応じたピーキング信号を生成するピーキング信号加算手段とを備えたことを特徴とする請求項６または７記載の撮像装置。
【請求項９】
前記ビューファインダは、強調する輪郭補正の色相を選択する色相選択手段を備え、前記輪郭補正信号生成手段は、前記入力映像信号から生成された三原色信号の高域成分を検出し原色信号ごとのピーキング信号を抽出するピーキング信号抽出手段と、前記ピーキング信号抽出手段により抽出した原色信号ごとのピーキング信号に対し、前記色相選択手段により選択された強調する輪郭補正の色相に応じた重み付けを設定可能にする重み付け設定手段と、前記原色信号ごとのピーキング信号を加算し、前記強調する輪郭補正の色相に応じたピーキング信号を生成するピーキング信号加算手段とを備えたことを特徴とする請求項６または７記載の撮像装置。
【発明の詳細な説明】
【技術分野】
【０００１】
本発明は、フォーカス調整を容易にしたビューファインダおよび撮像装置に関する。
【背景技術】
【０００２】
従来、放送局用のビデオカメラやカメラ一体型ビデオテープレコーダでは、フォーカス調整を容易にするために、高域成分が強調され画像の輪郭が明瞭化された撮像画をビューファインダに表示するようにしている。
この場合、ビデオカメラで撮影して得られた映像信号を構成する輝度信号から高域成分を抽出し増幅することでピーキング信号を生成する。そして、このピーキング信号を映像に加算し、高域成分が強調され画像の輪郭が明瞭化された撮像画をビューファインダに表示する。
このようにビューファインダには、高域成分が強調され画像の輪郭が明瞭化された映像画が表示されるため、フォーカス調整が容易になる。
【０００３】
図４は、このような高域成分が強調された映像画を表示する従来のビューファインダの構成を示すブロック図である。
従来のビューファインダは、カメラ部とビューファインダ部とから構成される。
カメラ部は、このビューファインダを備えている撮像装置の一部である撮像レンズ５１、撮像素子５２、ビデオアンプ５３、Ａ／Ｄ変換部５４、ディジタル信号処理部５５およびＤ／Ａ変換部５６を含む。
また、ビューファインダ部は、ビデオアンプ５７、バンドパスフィルタまたはローパスフィルタ５８、Ａ／Ｄ変換部５９、マトリクス部６０、ピーキング信号生成部６１、乗算回路６２、加算回路６３、６４、６５、表示素子駆動部６６および表示素子６７を含む構成である。
【０００４】
従来のビューファインダにおいては、カメラ部において、撮像レンズ５１から入射した被写体からの入射光を撮像素子５２により色分解し、三原色の各映像信号ＡＲ、ＡＧ、ＡＢを生成する。
この三原色の各映像信号ＡＲ、ＡＧ、ＡＢは、ビデオアンプ５３により増幅されＡ／Ｄ変換部５４へ供給される。
Ａ／Ｄ変換部５４では、三原色の各映像信号ＡＲ、ＡＧ、ＡＢをディジタルのＤＲ、ＤＧ、ＤＢ各映像信号へ変換しディジタル信号処理部５５へ出力する。
ディジタル信号処理部５５では、ＤＲ、ＤＧ、ＤＢ各映像信号に対しマトリクス処理を含むディジタル信号処理を施し、輝度信号ＤＹ、色差信号ＤＵ、ＤＶを生成しＤ／Ａ変換部５６へ出力する。
Ｄ／Ａ変換部５６では、ディジタルの輝度信号ＤＹ、色差信号ＤＵ、ＤＶをアナログの輝度信号ＡＹ、色差信号ＡＵ、ＡＶへ変換する。
カメラ部において生成されたアナログの輝度信号ＡＹ、色差信号ＡＵ、ＡＶはビューファインダ部のビデオアンプ５７へ出力される。
ビデオアンプ５７では輝度信号ＡＹ、色差信号ＡＵ、ＡＶを増幅し、増幅した輝度信号ＡＹ、色差信号ＡＵ、ＡＶをローパスフィルタ５８へ供給する。
ローパスフィルタ５８では、輝度信号ＡＹ、色差信号ＡＵ、ＡＶを所定の周波数帯域に帯域制限し出力する。
ローパスフィルタ５８の出力は、Ａ／Ｄ変換部５９でディジタルの輝度信号ＤＹ、色差信号ＤＵ、ＤＶに変換される。
【０００５】
Ａ／Ｄ変換部５９により変換された輝度信号ＤＹ、色差信号ＤＵ、ＤＶは、さらにマトリクス部６０へ供給される。マトリクス部６０では、輝度信号ＤＹ、色差信号ＤＵ、ＤＶから三原色のＤＲ、ＤＧ、ＤＢ各映像信号を生成し出力する回路である。
Ａ／Ｄ変換部５９でディジタル信号に変換された輝度信号ＤＹはピーキング信号生成部６１へも供給され、ピーキング信号が生成される。
ピーキング信号生成部６１において生成されたピーキング信号は乗算回路６２へ供給され、ピーキングレベル設定信号と乗算され、ピーキングレベル設定信号によるレベル調整が行われる。
そして、このピーキングレベル設定信号によるレベル調整が行われたピーキング信号は、マトリクス部６０から出力されたディジタル信号である映像信号ＤＲへ加算回路６３により加算処理され、また映像信号ＤＧへ加算回路６４により加算処理され、また映像信号ＤＢへ加算回路６５により加算処理される。
これらピーキング信号が加算処理された三原色のＤＲ、ＤＧ、ＤＢ各映像信号は、輪郭部が明瞭になるピーキングが付与された画像を表示するＲＰＫ、ＧＰＫ、ＢＰＫ各映像信号として表示素子駆動部６６へ供給される。
表示素子駆動部６６では、表示素子６７の駆動信号を生成し、ＲＰＫ、ＧＰＫ、ＢＰＫ各映像信号により輪郭部が明瞭になるピーキングが付与された画像を表示素子６７へ表示する。
【０００６】
このようなピーキング信号にもとづいた画像からフォーカス調整を容易にするものとして、映像信号に基づいて三原色信号を生成し、この三原色信号にピーキング信号を加算することで画像の輪郭を所定の色で表示し、この所定の色で表示された画像の輪郭を利用することでフォーカス調整を容易にするものが提案されている（特許文献１）。
【特許文献１】特開平９−１３９９５２号公報
【発明の開示】
【発明が解決しようとする課題】
【０００７】
上述した従来のビューファインダおよび撮像装置においては、ピーキング信号はピーキング信号生成部６１で輝度信号ＤＹをハイパスフィルタまたはバンドパスフィルタを通すことで生成されるため、ピーキング成分により強調される画像の輪郭部分には輝度成分のレベル差の情報しか含まれておらず、輝度成分にレベル差が無い場合、色成分のレベル差が有ったとしても輪郭が強調されないという課題があった。
また、画面全体にピーキングが施されてしまうため、対象となる被写体のみの輪郭を強調するというピーキング処理はできないという課題があった。
【０００８】
本発明は、このような事情に鑑みてなされたものであり、特定の色相の被写体を強調して輪郭補正を行うことのできるビューファインダおよび撮像装置を提供することを目的とする。
また、様々な色相の被写体に対して選択的に輪郭補正を行うことのできるビューファインダおよび撮像装置を提供することを目的とする。
また、フォーカス調整を容易にするビューファインダおよび撮像装置を提供することを目的とする。
【課題を解決するための手段】
【０００９】
上述の目的を達成するため、本発明のビューファインダは、液晶表示素子を用いたビューファインダであって、入力映像信号から生成された三原色信号をもとに、強調する輪郭補正の色相に応じたピーキング信号を生成する輪郭補正信号生成手段と、前記輪郭補正信号生成手段により生成されたピーキング信号を前記入力映像信号から生成された三原色信号に加算する信号加算手段と、前記信号加算手段によりピーキング信号が加算される前記三原色信号をもとに前記液晶表示素子の駆動信号を生成する駆動信号生成手段とを備えたことを特徴とする。
【００１０】
また、本発明の撮像装置は、フォーカス調整機能を有した撮像レンズと、入射光から色分解された赤、緑、青の三色光をもとに映像信号を出力する撮像素子と、液晶表示素子を用いたビューファインダを備えた撮像装置であって、前記ビューファインダは、入力映像信号から生成された三原色信号をもとに、強調する輪郭補正の色相に応じたピーキング信号を生成する輪郭補正信号生成手段と、前記輪郭補正信号生成手段により生成されたピーキング信号を前記入力映像信号から生成された三原色信号に加算する信号加算手段と、前記信号加算手段によりピーキング信号が加算される前記三原色信号をもとに前記液晶表示素子の駆動信号を生成する駆動信号生成手段とを備えたことを特徴とする。
【発明の効果】
【００１１】
本発明によれば、特定の色相の被写体を強調しピーキング（輪郭補正）を行うことができるビューファインダおよび撮像装置を提供できる効果がある。
また、様々な色相の被写体に対して選択的に輪郭補正を行うことのできるビューファインダおよび撮像装置を提供できる効果がある。
また、フォーカスの調整が容易になるビューファインダおよび撮像装置を提供できる効果がある。
【発明を実施するための最良の形態】
【００１２】
図１は、本発明の実施の形態によるビューファインダおよび撮像装置の構成を示すブロック図である。
本実施の形態のビューファインダは、カメラ部とビューファインダ部とから構成される。
カメラ部は、撮像レンズ１、撮像素子２、ビデオアンプ３、Ａ／Ｄ変換部４、ディジタル信号処理部５およびＤ／Ａ変換部６を含む。
なお、本実施の形態では、撮像レンズ１、撮像素子２、ビデオアンプ３、Ａ／Ｄ変換部４、ディジタル信号処理部５およびＤ／Ａ変換部６は撮像装置の一部である。
この撮像装置はビューファインダを備えている。
ビューファインダ部は、ビデオアンプ７、バンドパスフィルタまたはローパスフィルタ８、Ａ／Ｄ変換部９、マトリクス部１０、ピーキング信号生成部（輪郭補正信号生成手段）１１、乗算回路（レベル設定手段）１２、加算回路（信号加算手段）１３、１４、１５、ＯＳＤ加算部（色相選択手段）１６、ＣＰＵ（輪郭補正信号生成手段、重み付け設定手段）１７、表示素子駆動部（駆動信号生成手段）１８および表示素子１９を含む構成である。
【００１３】
カメラ部の撮像レンズ１は、制御可能なフォーカス機能を備え、被写体からの入射光を取り込むためのレンズ、被写体からの入射光をＲ、Ｇ、Ｂの三原色へ色分解する色分解光学装置を含む。
撮像素子２は例えばＣＣＤにより構成されている。
ビデオアンプ３は、アナログのＡＲ、ＡＧ、ＡＢ各映像信号を増幅する回路である。
Ａ／Ｄ変換部４は、入力されたアナログのＡＲ、ＡＧ、ＡＢ各映像信号をディジタル信号へ変換し出力する回路である。
ディジタル信号処理部５は、ディジタルのＤＲ、ＤＧ、ＤＢ各映像信号に対しマトリクス処理を含むディジタル信号処理を施し、輝度信号ＤＹ、色差信号ＤＵ、ＤＶを生成し出力する回路である。
Ｄ／Ａ変換部６は、ディジタルの輝度信号ＤＹ、色差信号ＤＵ、ＤＶをアナログ信号へ変換する回路である。
【００１４】
ビューファインダ部のビデオアンプ７は、アナログの輝度信号ＡＹ、色差信号ＡＵ、ＡＶを増幅する回路である。
ローパスフィルタ８は、輝度信号ＡＹ、色差信号ＡＵ、ＡＶを所定の周波数帯域に帯域制限する回路である。
Ａ／Ｄ変換部９は、アナログの輝度信号ＡＹ、色差信号ＡＵ、ＡＶをディジタルの輝度信号ＤＹ、色差信号ＤＵ、ＤＶへ変換する回路である。
マトリクス部１０は、輝度信号ＤＹ、色差信号ＤＵ、ＤＶをディジタルのＤＲ、ＤＧ、ＤＢ各映像信号へ変換する回路である。
ピーキング信号生成部１１は、ディジタルのＤＲ、ＤＧ、ＤＢ各映像信号から所定の周波数の高域成分を抽出し、ピーキング（輪郭補正）信号を生成する回路である。
なお、ピーキング信号生成部１１へは、ＣＰＵ１７からＧＡＩＮ＿Ｒ、ＧＡＩＮ＿Ｇ、ＧＡＩＮ＿Ｂ各色相設定信号を含む制御信号が供給される。
【００１５】
乗算回路１２は、ピーキング信号生成部１１で生成したピーキング信号に対し、ピーキングレベル設定信号によるピーキング（輪郭補正）のレベル設定を行う回路であり、例えば、ピーキング信号のレベル調整のためのピーキングレベル設定信号をピーキング信号に乗算する。
加算回路１３は、ピーキング信号を映像信号ＤＲへ加算する回路である。加算回路１４は、ピーキング信号を映像信号ＤＧへ加算する回路である。加算回路１５は、ピーキング信号を映像信号ＤＢへ加算する回路である。
ＯＳＤ加算部１６は、ＯＳＤ制御信号により制御される操作のための設定メニューを映像に重畳するための回路であり、映像に重畳され表示された設定メニューを操作することで、映像信号のうちの輪郭補正を強調しようとする色相領域が選択され、その選択結果がＣＰＵ１７に入力される。
表示素子駆動部１８は表示素子１９を駆動して映像を表示させる回路である。
【００１６】
図２は、図１に示したピーキング信号生成部１１の構成を示す回路図である。
図２に示すように、ピーキング信号生成部１１は、バンドパスフィルタ（ピーキング信号抽出手段）１１１、非加算混合回路（最高レベルピーキング信号優先手段）１１２、乗算回路（重み付け設定手段）１１３、１１４、１１５、加算回路（ピーキング信号加算手段）１１６および輪郭補正機能切り替えスイッチ（選択手段）１１７を備えている。
バンドパスフィルタ１１１は、ＤＲ、ＤＧ、ＤＢ各映像信号から所定の周波数の高域成分を抽出し、ピーキング（輪郭補正）信号Ｒ＿ｐｅａｋ、Ｇ＿ｐｅａｋ、Ｂ＿ｐｅａｋ各ピーキング（輪郭補正）信号を生成するフィルタ回路である。
非加算混合回路１１２は、バンドパスフィルタ１１１で抽出した各ピーキング（輪郭補正）信号Ｒ＿ｐｅａｋ、Ｇ＿ｐｅａｋ、Ｂ＿ｐｅａｋのうち最もレベルの高いピーキング（輪郭補正）信号を優先させ、それをピーキング（輪郭補正）信号ＮＡＭＹ＿ｐｅａｋとして出力する回路である。
【００１７】
乗算回路１１３は、ＣＰＵ１７から出力された色相（混合比率）設定信号ＧＡＩＮ＿Ｒをピーキング（輪郭補正）信号Ｒ＿ｐｅａｋへ乗じ、その乗算結果を加算回路１１６へ出力する回路である。
乗算回路１１４は、ＣＰＵ１７から出力された色相（混合比率）設定信号ＧＡＩＮ＿Ｇをピーキング（輪郭補正）信号Ｇ＿ｐｅａｋへ乗じ、その乗算結果を加算回路１１６へ出力する回路である。
乗算回路１１５は、ＣＰＵ１７から出力された色相（混合比率）設定信号ＧＡＩＮ＿Ｂをピーキング（輪郭補正）信号Ｂ＿ｐｅａｋへ乗じ、その乗算結果を加算回路１１６へ出力する回路である。
加算回路１１６は、乗算回路１１３と乗算回路１１４と乗算回路１１５における各乗算結果を加算し、そのときの加算比率で各ピーキング（輪郭補正）信号が加算された、映像信号の所定の色相領域に対する輪郭補正を強調する色相領域ピーキング（輪郭補正）信号を生成し出力する回路である。
輪郭補正機能切り替えスイッチ１１７は、非加算混合回路１１２から出力されたピーキング（輪郭補正）信号ＮＡＭＹ＿ｐｅａｋ、または、加算回路１１６から出力された色相領域ピーキング（輪郭補正）信号のいずれか一方を選択するためのスイッチである。
なお、この輪郭補正機能切り替えスイッチ１１７はＣＰＵ１７から出力される選択信号より切り替え制御が行われるような構成となっている。
【００１８】
図３は、輪郭補正の色相領域に対する各色相設定信号ＧＡＩＮ＿Ｒ、ＧＡＩＮ＿Ｇ、ＧＡＩＮ＿Ｂと色相との関係を示す説明図である。
各色相設定信号ＧＡＩＮ＿Ｒ、ＧＡＩＮ＿Ｇ、ＧＡＩＮ＿Ｂは、ユーザにより選択された色相信号に対応するＲ、Ｇ、Ｂ各三原色信号から生成された各輪郭補正信号の加算比率に対応しており、ＧＡＩＮ＿Ｒ＋ＧＡＩＮ＿Ｇ＋ＧＡＩＮ＿Ｂ＝１となる。
言い換えると、各色相設定信号ＧＡＩＮ＿Ｒ、ＧＡＩＮ＿Ｇ、ＧＡＩＮ＿Ｂを自由に設定することにより様々な色相に対して輪郭補正を行うことができる。ただし、ＧＡＩＮ＿Ｒ＋ＧＡＩＮ＿Ｇ＋ＧＡＩＮ＿Ｂ＝１という条件を満たす必要がある。
【００１９】
次に動作について説明する。
本実施の形態のビューファインダにおいては、カメラ部において、撮像レンズ１から入射した被写体からの入射光を色分解し、撮像素子２により三原色の各映像信号ＡＲ、ＡＧ、ＡＢを生成する。
この三原色の各映像信号ＡＲ、ＡＧ、ＡＢは、ビデオアンプ３により増幅されＡ／Ｄ変換部４へ供給される。
Ａ／Ｄ変換部４では、三原色の各映像信号ＡＲ、ＡＧ、ＡＢをディジタルのＤＲ、ＤＧ、ＤＢ各映像信号へ変換しディジタル信号処理部５へ出力する。
ディジタル信号処理部５では、ＤＲ、ＤＧ、ＤＢ各映像信号に対しマトリクス処理を含むディジタル信号処理を施し、輝度信号ＤＹ、色差信号ＤＵ、ＤＶを生成しＤ／Ａ変換部６へ出力する。Ｄ／Ａ変換部６では、ディジタルの輝度信号ＤＹ、色差信号ＤＵ、ＤＶをアナログの輝度信号ＡＹ、色差信号ＡＵ、ＡＶへ変換する。
【００２０】
カメラ部において生成されたアナログの輝度信号ＡＹ、色差信号ＡＵ、ＡＶはビューファインダ部のビデオアンプ７へ出力される。
ビデオアンプ７では、アナログの輝度信号ＡＹ、色差信号ＡＵ、ＡＶを増幅し、ローパスフィルタ８へ出力する。
ローパスフィルタ８は、輝度信号ＡＹ、色差信号ＡＵ、ＡＶを所定の周波数帯域に帯域制限しＡ／Ｄ変換部９へ出力する。
Ａ／Ｄ変換部９は、アナログの輝度信号ＡＹ、色差信号ＡＵ、ＡＶをディジタルの輝度信号ＤＹ、色差信号ＤＵ、ＤＶへ変換しマトリクス部６０へ出力する。
マトリクス部６０では、輝度信号ＤＹ、色差信号ＤＵ、ＤＶをディジタルのＤＲ、ＤＧ、ＤＢ各映像信号へ変換し、映像信号ＤＲは加算回路１３へ、映像信号ＤＧは加算回路１４へ、映像信号ＤＢは加算回路１５へ出力するとともに、ＤＲ、ＤＧ、ＤＢ各映像信号をピーキング信号生成部１１へ出力する。
【００２１】
ピーキング信号生成部１１では、ＣＰＵ１７から供給された色相（混合比率）設定信号をもとに強調する輪郭補正の色相に応じたピーキング信号を、ディジタルのＤＲ、ＤＧ、ＤＢ各映像信号から生成する。
ピーキング信号生成部１１において生成されたピーキング信号は乗算回路１２へ出力され、ピーキングレベル設定信号と乗算され、ピーキングレベル設定信号によるピーキングレベルの調整が行われる。
そして、このピーキングレベル設定信号によるピーキングレベルの調整が行われたピーキング信号は、マトリクス部１０から出力されたディジタルの映像信号ＤＲと加算回路１３において加算処理され、また加算回路１４において映像信号ＤＧと加算処理され、また加算回路１５において映像信号ＤＢと加算処理され、映像信号Ｒｐｋ、Ｇｐｋ、ＢｐｋとしてＯＳＤ加算部１６へ出力される。
【００２２】
ＯＳＤ加算部１６により、ＣＰＵ１７から出力されたＯＳＤ制御信号によりピーキング（輪郭補正）の色相選択を行うことが可能になる。ＯＳＤ加算部１６において、ＯＳＤ制御信号により映像信号に重畳された設定メニューをユーザが操作することでピーキング（輪郭補正）の色相選択を行うことが可能になり、この操作結果はＣＰＵ１７へ入力される。
ＣＰＵ１７は、入力された前記操作結果をもとに選択された色相信号に対応するＲ、Ｇ、Ｂ各三原色信号から生成された各輪郭補正信号の加算比率を、図３に一例として示した色相設定信号ＧＡＩＮ＿Ｒ、ＧＡＩＮ＿Ｇ、ＧＡＩＮ＿Ｂとして例えばレジスタである輪郭補正信号生成部（重み付け設定手段）１７１に設定し、これによりユーザによる色相選択が実現されている。
【００２３】
この結果、図２に示すピーキング信号生成部１１では、乗算回路１１３においてＣＰＵ１７から出力された色相（混合比率）設定信号ＧＡＩＮ＿Ｒがピーキング（輪郭補正）信号Ｒ＿ｐｅａｋへ乗算され、その乗算結果が加算回路１１６へ出力される。
また、乗算回路１１４では、ＣＰＵ１７から出力された色相（混合比率）設定信号ＧＡＩＮ＿Ｇがピーキング（輪郭補正）信号Ｇ＿ｐｅａｋへ乗算され、その乗算結果が加算回路１１６へ出力される。
また、乗算回路１１５では、ＣＰＵ１７から出力された色相（混合比率）設定信号ＧＡＩＮ＿Ｂがピーキング（輪郭補正）信号Ｂ＿ｐｅａｋへ乗算され、その乗算結果が加算回路１１６へ出力される。
加算回路１１６では、乗算回路１１３と乗算回路１１４と乗算回路１１５の各乗算結果を加算し、色相設定信号ＧＡＩＮ＿Ｒ、ＧＡＩＮ＿Ｇ、ＧＡＩＮ＿Ｂにより決定される加算比率で各ピーキング（輪郭補正）信号が加算された、映像信号の所定の色相領域に対し輪郭補正を強調する色相領域ピーキング（輪郭補正）信号を生成し出力する。
このとき輪郭補正機能切り替えスイッチ１１７がＣＰＵ１７から与えられた選択信号により加算回路１１６側に切り替えられていると、ピーキング信号生成部１１からはこの色相領域ピーキング（輪郭補正）信号が乗算回路１２へ出力される。
そして、ピーキングレベル設定信号と乗算され、ピーキングレベル設定信号によるピーキングレベルの調整が行われる。さらに加算回路１３、１４、１５において前記色相領域ピーキング（輪郭補正）信号がＤＲ、ＤＧ、ＤＢ各映像信号に加算され、所定の色相領域に対し輪郭補正を強調するＲｐｋ、Ｇｐｋ、Ｂｐｋ各映像信号として表示素子駆動部１８へ供給される。
表示素子駆動部１８では、表示素子１９の駆動信号を生成し、Ｒｐｋ、Ｇｐｋ、Ｂｐｋ各映像信号により所定の色相領域に対し輪郭補正を強調し、輪郭部が明瞭になるピーキング（輪郭補正）が付与された画像を表示素子１９へ表示する。
【００２４】
なお、輪郭補正機能切り替えスイッチ１１７がＣＰＵ１７から与えられた選択信号により非加算混合回路１１２側に切り替えられていると、バンドパスフィルタ１１１で抽出した各ピーキング（輪郭補正）信号Ｒ＿ｐｅａｋ、Ｇ＿ｐｅａｋ、Ｂ＿ｐｅａｋのうち最もレベルの高いピーキング（輪郭補正）信号が自動的に優先され、ピーキング（輪郭補正）信号ＮＡＭＹ＿ｐｅａｋとして出力される。このため、ピーキング（輪郭補正）の色相選択を行うなどの操作上の手間が省ける効果が得られる。
【００２５】
次に、輝度差のない被写体であっても、三原色信号のレベル差を検出することで輪郭補正が実現できるときの一例を説明する。
ＨＤ１０８０システムの輝度の信号規格は、Ｙ＝０．２１２６×Ｒｃｈ＋０．７１５２×Ｇｃｈ＋０．０７２２×Ｂｃｈとなっている。この信号規格において各三原色信号のレベルが、信号１についてはＲｃｈ＝１／（０．２１２６×３）、Ｇｃｈ＝１／（０．７１５２×３）、Ｂｃｈ＝１／（０．０７２２×３）であり、信号２についてはＲｃｈ＝０、Ｇｃｈ＝１／（０．７１５２）、Ｂｃｈ＝０のとき、従来では輝度信号（Ｙ）から輪郭補正信号を生成しているため、信号１および信号２共にＹ＝１となりレベル差が存在しないとみなされて輪郭補正されないことになる。
これに対し、本実施の形態では、例えば緑色信号に着目し輪郭補正を行いたい場合、色相設定信号ＧＡＩＮ＿Ｒ＝０、ＧＡＩＮ＿Ｇ＝１、ＧＡＩＮ＿Ｂ＝０と設定することで輪郭補正が可能になる。このようにフォーカスを合わせたい被写体の色相に合わせて、三原色信号から生成された各輪郭補正信号の加算比率を図３に示す一例の中から選択することで、被写体である対象物の輪郭補正をより強調できる。
なお、従来のように輝度成分（Ｙ）に輪郭補正をかけたい場合には、図３に示す規格に応じた比率で色相設定信号ＧＡＩＮ＿Ｒ、ＧＡＩＮ＿Ｇ、ＧＡＩＮ＿Ｂを設定すればよい。
【００２６】
以上のように、本願発明の実施の形態によれば、入力映像信号から生成された三原色信号より所定の周波数の高域成分を検出しピーキング（輪郭補正）信号が生成される。そして、三原色信号から生成された各ピーキング（輪郭補正）信号の加算比率を設定することで、映像信号のうち所定の色相領域に対し輪郭補正を強調することが可能になる。
したがって、本実施の形態によれば、特定の色相の被写体を強調しピーキング（輪郭補正）を行うことができ、特定の色相の被写体に対するフォーカスの調整が容易になる効果がある。
また、様々な色相の被写体に対して選択的に輪郭補正を行うことのでき、選択した特定の色相の被写体に対するフォーカスの調整が容易になる効果がある。
また、従来のように輝度信号からピーキング（輪郭補正）信号を生成する構成ではなく、入力映像信号から生成された三原色信号をもとに、強調する輪郭補正の色相に応じたピーキング信号を生成するため、輝度差のない被写体であっても、三原色信号のレベル差を検出することで輪郭補正が可能になる効果がある。
【図面の簡単な説明】
【００２７】
【図１】本発明の実施の形態によるビューファインダおよび撮像装置の構成を示すブロック図である。
【図２】本発明の実施の形態におけるピーキング信号生成部の構成を示すブロック図である。
【図３】本発明の実施の形態における輪郭補正の色相領域に対する色相設定信号と色相との関係を示す説明図である。
【図４】従来のビューファインダの構成を示すブロック図である。
【符号の説明】
【００２８】
１１……ピーキング信号生成部（輪郭補正信号生成手段）、１２……乗算回路（レベル設定手段）、１３、１４、１５……加算回路（信号加算手段）、１６……ＯＳＤ加算部（色相選択手段）、１７……ＣＰＵ（輪郭補正信号生成手段、重み付け設定手段）、１８……表示素子駆動部（駆動信号生成手段）、１９……表示素子、１１１……バンドパスフィルタ（ピーキング信号抽出手段）、１１２……非加算混合回路（最高レベルピーキング信号優先手段）、１１３、１１４、１１５……乗算回路（重み付け設定手段）、１１６……加算回路（ピーキング信号加算手段）、１１７……輪郭補正機能切り替えスイッチ（選択手段）、１７１……輪郭補正信号生成部（重み付け設定手段）。
【図１】
2008061202.tif 000003
【図２】
2008061202.tif 000004
【図３】
2008061202.tif 000005
【図４】
2008061202.tif 000006
【手続補正書】
【提出日】平成19年10月24日(2007.10.24)
【手続補正１】
【補正対象書類名】特許請求の範囲
【補正対象項目名】全文
【補正方法】変更
【補正の内容】
【特許請求の範囲】
【請求項１】
撮像された映像信号を表示するビューファインダであって、
入力映像信号から生成された三原色信号をもとに、強調する輪郭補正の色相に応じたピーキング信号を生成する輪郭補正信号生成手段と、
前記輪郭補正信号生成手段により生成されたピーキング信号を前記入力映像信号から生成された三原色信号に加算する信号加算手段と、
前記信号加算手段によりピーキング信号が加算される前記三原色信号をもとに表示素子の駆動信号を生成する駆動信号生成手段と、
を備えたことを特徴とするビューファインダ。
【請求項２】
前記輪郭補正信号生成手段により生成されたピーキング信号のレベルを設定可能にするレベル設定手段を備えたことを特徴とする請求項１記載のビューファインダ。
【請求項３】
前記輪郭補正信号生成手段は、前記入力映像信号から生成された三原色信号の高域成分を検出し原色信号ごとのピーキング信号を抽出するピーキング信号抽出手段と、前記ピーキング信号抽出手段により抽出した原色信号ごとのピーキング信号に対し、強調する輪郭補正の色相に応じた重み付けを設定可能にする重み付け設定手段と、前記原色信号ごとのピーキング信号を加算し、前記強調する輪郭補正の色相に応じたピーキング信号を生成するピーキング信号加算手段とを備えたことを特徴とする請求項１または２記載のビューファインダ。
【請求項４】
強調する輪郭補正の色相を選択する色相選択手段を備え、前記輪郭補正信号生成手段は、前記入力映像信号から生成された三原色信号の高域成分を検出し原色信号ごとのピーキング信号を抽出するピーキング信号抽出手段と、前記ピーキング信号抽出手段により抽出した原色信号ごとのピーキング信号に対し、前記色相選択手段により選択された強調する輪郭補正の色相に応じた重み付けを設定可能にする重み付け設定手段と、前記原色信号ごとのピーキング信号を加算し、前記強調する輪郭補正の色相に応じたピーキング信号を生成するピーキング信号加算手段とを備えたことを特徴とする請求項１または２記載のビューファインダ。
【請求項５】
前記ピーキング信号抽出手段により抽出した原色信号ごとのピーキング信号のうち最もレベルの高いピーキング信号を優先させ出力する最高レベルピーキング信号優先手段と、前記最高レベルピーキング信号優先手段が出力したピーキング信号、または、前記ピーキング信号加算手段が生成したピーキング信号のいずれかを選択し出力する選択手段とを備えたことを特徴とする請求項３記載のビューファインダ。
【請求項６】
フォーカス調整機能を有した撮像レンズと、入射光から色分解された赤、緑、青の三色光をもとに映像信号を出力する撮像素子と、ビューファインダを備えた撮像装置であって、
前記ビューファインダは、
入力映像信号から生成された三原色信号をもとに、強調する輪郭補正の色相に応じたピーキング信号を生成する輪郭補正信号生成手段と、
前記輪郭補正信号生成手段により生成されたピーキング信号を前記入力映像信号から生成された三原色信号に加算する信号加算手段と、
前記信号加算手段によりピーキング信号が加算される前記三原色信号をもとに表示素子の駆動信号を生成する駆動信号生成手段と、
を備えたことを特徴とする撮像装置。
【請求項７】
前記ビューファインダは、前記輪郭補正信号生成手段により生成されたピーキング信号のレベルを設定可能にするレベル設定手段を備えたことを特徴とする請求項６記載の撮像装置。
【請求項８】
前記ビューファインダの前記輪郭補正信号生成手段は、前記入力映像信号から生成された三原色信号の高域成分を検出し原色信号ごとのピーキング信号を抽出するピーキング信号抽出手段と、前記ピーキング信号抽出手段により抽出した原色信号ごとのピーキング信号に対し、強調する輪郭補正の色相に応じた重み付けを設定可能にする重み付け設定手段と、前記原色信号ごとのピーキング信号を加算し、前記強調する輪郭補正の色相に応じたピーキング信号を生成するピーキング信号加算手段とを備えたことを特徴とする請求項６または７記載の撮像装置。
【請求項９】
前記ビューファインダは、強調する輪郭補正の色相を選択する色相選択手段を備え、前記輪郭補正信号生成手段は、前記入力映像信号から生成された三原色信号の高域成分を検出し原色信号ごとのピーキング信号を抽出するピーキング信号抽出手段と、前記ピーキング信号抽出手段により抽出した原色信号ごとのピーキング信号に対し、前記色相選択手段により選択された強調する輪郭補正の色相に応じた重み付けを設定可能にする重み付け設定手段と、前記原色信号ごとのピーキング信号を加算し、前記強調する輪郭補正の色相に応じたピーキング信号を生成するピーキング信号加算手段とを備えたことを特徴とする請求項６または７記載の撮像装置。
【請求項１０】
表示素子へ出力する表示信号生成回路であって、
入力映像信号から生成された三原色信号をもとに、強調する輪郭補正の色相に応じたピーキング信号を生成する輪郭補正信号生成手段と、
前記輪郭補正信号生成手段により生成されたピーキング信号を前記入力映像信号から生成された三原色信号に加算する信号加算手段と、
前記信号加算手段によりピーキング信号が加算される前記三原色信号をもとに前記表示素子の駆動信号を生成する駆動信号生成手段と、
を備えたことを特徴とする表示信号生成回路。
【手続補正２】
【補正対象書類名】明細書
【補正対象項目名】０００９
【補正方法】変更
【補正の内容】
【０００９】
上述の目的を達成するため、本発明のビューファインダは、表示素子を用いたビューファインダであって、入力映像信号から生成された三原色信号をもとに、強調する輪郭補正の色相に応じたピーキング信号を生成する輪郭補正信号生成手段と、前記輪郭補正信号生成手段により生成されたピーキング信号を前記入力映像信号から生成された三原色信号に加算する信号加算手段と、前記信号加算手段によりピーキング信号が加算される前記三原色信号をもとに前記表示素子の駆動信号を生成する駆動信号生成手段とを備えたことを特徴とする。
【手続補正３】
【補正対象書類名】明細書
【補正対象項目名】００１０
【補正方法】変更
【補正の内容】
【００１０】
また、本発明の撮像装置は、フォーカス調整機能を有した撮像レンズと、入射光から色分解された赤、緑、青の三色光をもとに映像信号を出力する撮像素子と、表示素子を用いたビューファインダを備えた撮像装置であって、前記ビューファインダは、入力映像信号から生成された三原色信号をもとに、強調する輪郭補正の色相に応じたピーキング信号を生成する輪郭補正信号生成手段と、前記輪郭補正信号生成手段により生成されたピーキング信号を前記入力映像信号から生成された三原色信号に加算する信号加算手段と、前記信号加算手段によりピーキング信号が加算される前記三原色信号をもとに前記表示素子の駆動信号を生成する駆動信号生成手段とを備えたことを特徴とする。
【手続補正４】
【補正対象書類名】明細書
【補正対象項目名】００２０
【補正方法】変更
【補正の内容】
【００２０】
カメラ部において生成されたアナログの輝度信号ＡＹ、色差信号ＡＵ、ＡＶはビューファインダ部のビデオアンプ７へ出力される。
ビデオアンプ７では、アナログの輝度信号ＡＹ、色差信号ＡＵ、ＡＶを増幅し、ローパスフィルタ８へ出力する。
ローパスフィルタ８は、輝度信号ＡＹ、色差信号ＡＵ、ＡＶを所定の周波数帯域に帯域制限しＡ／Ｄ変換部９へ出力する。
Ａ／Ｄ変換部９は、アナログの輝度信号ＡＹ、色差信号ＡＵ、ＡＶをディジタルの輝度信号ＤＹ、色差信号ＤＵ、ＤＶへ変換しマトリクス部１０へ出力する。
マトリクス部１０では、輝度信号ＤＹ、色差信号ＤＵ、ＤＶをディジタルのＤＲ、ＤＧ、ＤＢ各映像信号へ変換し、映像信号ＤＲは加算回路１３へ、映像信号ＤＧは加算回路１４へ、映像信号ＤＢは加算回路１５へ出力するとともに、ＤＲ、ＤＧ、ＤＢ各映像信号をピーキング信号生成部１１へ出力する。